(57)【要約】【課題】多様な使用方法で水を簡易かつ効果的に活水化させることができる簡易活水器を提供する。【解決手段】両端部が開口するとともに途中部に水の流通窓５が形成された外筒１と、上記外筒１内に嵌挿される内側ケース２とを備え、上記外筒１は、少なくとも表層部が遠赤外線を放射するセラミックスにより形成され、上記内側ケース２は、分割可能に形成されるとともに、内部に粒状の脱塩素剤が収容され、周壁に水を流通させるメッシュ開口３が形成され、脱塩素剤が収容された内側ケース２が外筒１に嵌挿された状態で活水対象とする水中に投入されるように構成した。【選択図】図１
0003124269.tif 000002
【実用新案登録請求の範囲】
【請求項１】
両端部が開口するとともに途中部に水の流通窓が形成された外筒と、上記外筒内に嵌挿される内側ケースとを備え、
上記外筒は、少なくとも表層部が遠赤外線を放射するセラミックスにより形成され、
上記内側ケースは、分割可能に形成されるとともに、内部に粒状の脱塩素剤が収容され、周壁に水を流通させるメッシュ開口が形成され、
脱塩素剤が収容された内側ケースが外筒に嵌挿された状態で活水対象とする水中に投入されるように構成されていることを特徴とする簡易活水器。
【請求項２】
上記内側ケースは、長手方向に沿って分割可能に形成されるとともに、内部空間は複数の収容空間に仕切られ、上記メッシュ開口が複数の収容空間のそれぞれに対応して設けられている請求項１記載の簡易活水器。
【請求項３】
上記内側ケースは、稜線が外筒の内面に内接する多角柱部分と、多角柱部分の端部に形成されたフランジ部とから形成され、多角柱部分の稜線に挟まれた壁面にメッシュ開口が形成されている請求項１または２記載の簡易活水器。
【考案の詳細な説明】
【技術分野】
【０００１】
本考案は、持ち運び可能で簡易に水を活水化させることができる簡易活水器に関するものである。
【背景技術】
【０００２】
従来、活水装置や浄水器としては、水道の蛇口に取り付ける形式のものが広く用いられているが、据え付け型となってしまい、外出先や屋外等で利用することはできない（例えば下記の特許文献１）。外出先や屋外等で簡易的に用いることができるものも考案されているが、原水を上部の注入口に注いで活性炭等で濾過し、下部の吐出口から浄水を取り出す形式のものが大部分であり、使い勝手がよくなかった（例えば下記の特許文献２）。
【０００３】
そこで、携帯用の浄活水器として、浄活水剤を保持する活水器本体を、鞘部と柄部とから構成されたケースに収容したものが考案されている（下記の特許文献３）。
【特許文献１】特開平１０−２４４２６１号公報
【特許文献２】実用新案登録第３００３３９４号公報
【特許文献３】実用新案登録第３１１３９７０号公報
【考案の開示】
【考案が解決しようとする課題】
【０００４】
しかしながら、上記のような浄活水器では、浄活水剤を水に接触させるだけで浄活水作用を行うため、活水作用に限界がある。また、浄活水器本体が鞘部に取り付けられているため、コップ等の容器に入れた水に対してマドラーのようにして使用することにより浄活水するときには便利であるが、それ以外の使い方ができず使用方法に制限がある。しかも、上記浄活水器では、浄活水器本体内の浄活水剤の交換ができないため、浄活水剤の活水能力が低下すると使用できなくなるという問題もある。
【０００５】
本考案は、このような事情に鑑みなされたもので、多様な使用方法で水を簡易かつ効果的に活水化させることができる簡易活水器の提供を目的とする。
【課題を解決するための手段】
【０００６】
上記目的を達成するため、本考案の簡易活水器は、両端部が開口するとともに途中部に水の流通窓が形成された外筒と、上記外筒内に嵌挿される内側ケースとを備え、上記外筒は、少なくとも表層部が遠赤外線を放射するセラミックスにより形成され、上記内側ケースは、分割可能に形成されるとともに、内部に粒状の脱塩素剤が収容され、周壁に水を流通させるメッシュ開口が形成され、脱塩素剤が収容された内側ケースが外筒に嵌挿された状態で活水対象とする水中に投入されるように構成されていることを要旨とする。
【考案の効果】
【０００７】
すなわち、本考案の簡易活水器は、上記外筒の少なくとも表層部が遠赤外線を放射するセラミックスにより形成され、脱塩素剤が収容された内側ケースが外筒に嵌挿された状態で活水対象とする水中に投入されるため、脱塩素剤による浄水作用だけでなく、遠赤外線を放射するセラミックスによる活水作用により、有効な浄水ならびに活水効果を得ることができる。上記セラミックスは、水に対して遠赤外線を直に放射し、水分子を有効に振動させて水分子の水素結合集団（クラスタ）を細分化させることが可能となる。また、表層部がセラミックスにより形成されているため、引っかき強度等に優れ損傷しにくいうえ酸やアルカリにも侵されにくく、長期間使用に対する耐久性に優れる。さらに、上記内側ケースの内部に粒状の脱塩素剤が収容され、周壁に水を流通させるメッシュ開口が形成されていることから、脱塩素剤が水と有効に接触して水の残留塩素を効果的に除去する。しかも、内側ケースが分割可能に形成されていることから、脱塩素剤の脱塩素効果が低下してきたときには、内部の脱塩素剤を新しいものに交換して新品同様に繰り返し使用することが可能となる。
【０００８】
本発明において、上記内側ケースは、長手方向に沿って分割可能に形成されるとともに、内部空間は複数の収容空間に仕切られ、上記メッシュ開口が複数の収容空間のそれぞれに対応して設けられている場合には、複数の収容空間に、水を活性化させるセラミックス粒や活性炭等、脱塩素剤以外の浄水剤や活性剤を収容して使用することができ、さらに有効な浄水作用および活水作用を得ることができる。
【０００９】
本発明において、上記内側ケースは、稜線が外筒の内面に内接する多角柱部分と、多角柱部分の端部に形成されたフランジ部とから形成され、多角柱部分の稜線に挟まれた壁面にメッシュ開口が形成されている場合には、脱塩素剤が収容された内側ケースが外筒に嵌挿された状態で活水対象とする水中に投入されたとき、外筒の流通窓や端部開口から外筒内に流れ込んだ水は、外筒の内面と多角柱部分の壁面との間に形成された隙間を通り、壁面のメッシュ開口から内側ケース内に流れ込み、脱塩素剤と接触する。また、外筒の内面と多角柱部分の壁面との隙間を流れるときにセラミックスの作用を受けて活水される。このように、脱塩素剤やセラミックスと水との接触を効果的に行って浄水および活水を効率よく行うことができる。
【考案を実施するための最良の形態】
【００１０】
つぎに、本考案を実施するための最良の形態を説明する。
【００１１】
図１は本考案の一実施形態の簡易活水器を示す分解斜視図、図２（Ａ）は上記簡易活水器を構成する外筒１の断面図、図２（Ｂ）は同じく上記簡易活水器を構成する内側ケース２の側面図、図２（Ｃ）は上記内側ケースを分割した状態の断面図である。
【００１２】
この簡易活水器は、円筒状の外筒１と、上記外筒１内に嵌挿される内側ケース２とを備えている。
【００１３】
上記外筒１は、両端部が開口するとともに途中部に水の流通窓５が形成されている。上記流通窓５は、外筒１の長手方向の略中央部に、外径の約半分の深さとなるスリット状の切欠きにより形成されている。上記外筒１の内周面の両端寄りの部分に、嵌挿された内側ケースを係止する係止溝６が形成されている。
【００１４】
上記外筒１は、この例では母材が金属から形成され、その表面が遠赤外線を放射するセラミックス層により被覆されることにより、少なくとも表層部が遠赤外線を放射するセラミックスにより形成されている。
【００１５】
上記セラミックス層を構成する材質としては、赤外領域の電磁波に対する放射率が７０％以上の高放射率の値をとるものが好ましく、各種の材質のものを用いることができる。例えば、耐食性や絶縁性，引っかき強度等に優れた、アルミナを主成分とするセラミックス傾斜材が好適に用いられる。このアルミナを主成分とするセラミックス傾斜材は、引っかき強度等や耐剥離性に優れ損傷しにくいうえ、水質が変化しにくい。
【００１６】
上記セラミックス層が、赤外領域の電磁波に対する放射率が７０％以上の高放射率体である場合には、活性効果がより高くなる。すなわち、水には、３μｍ，６μｍ，９μｍ，１２μｍ…という波長域に電磁波の吸収スペクトルが存在する。このうち、２．６６μｍ，２．７３μｍ，６．２７μｍの波長域は、電磁波の吸収により水分子を有効に振動させる。この振動により、水分子の水素結合集団（クラスタ）を細分化し、水の酸化還元電位を低下させるとともに、水を活水化することができるのである。
【００１７】
上記セラミックス層の皮膜の厚みとしては、５μｍ以上２５０μｍ以下が好適である。上記厚みの上限値としてさらに好ましいのは２００μｍであり、上記厚みの下限値としてさらに好ましいのは１０μｍである。セラミックス層の厚みが５μｍ未満では、引っかき強度や耐食性の面で十分なものにならず、２５０μｍを超えると、コスト的に好ましくないからである。
【００１８】
一方、上記内側ケース２は、この例では樹脂製であり、上記外筒１と同じ長さの多角柱部分としての六角柱部分７の端部にフランジ部８が形成されて構成されている。
【００１９】
上記六角柱部分７は、六角の頂点が外筒１の内面に内接するように形成され、長さが外筒１の長さと同じ長さになるように設定されている。上記フランジ部８は、円盤状で外径が外筒１の外径と同じ径になるよう形成されている。これにより、フランジ部８を手指で把持して六角柱部分７を外筒１の一端開口から挿入し、フランジ部８が当該一端部に当接するまで押し込むことにより、六角柱部分７を外筒１に嵌挿する。
【００２０】
上記六角柱部分６の六角形の頂点にあたる稜線部には、外筒１の係止溝６に対応する部分に、係止突部９が形成されている。これにより、内側ケース２の六角柱部分７を外筒１に嵌挿させたときに、係止突部９が係止溝６に係止されて内側ケース２が外筒１から容易に抜け出るのが防止される。また、上記内側ケース２は樹脂製であることから、六角柱部分７が外筒１に嵌挿された状態から、フランジ部８を手指で把持してやや強く引き抜くことにより、係止突部９は係止溝６から外れて内側ケース２を外筒１から抜き取ることができる。
【００２１】
上記内側ケース２は、長手方向に沿って分割可能に形成されている。すなわち、六角柱部分７の６面の壁面のうち図における上側の２面の壁面と、他の４面の壁面との間の２つの稜線に沿って分割される。内部に脱塩素剤を出し入れするときは、内側ケース２を外筒１から抜き取って分割すればよい。脱塩素剤を収容した内側ケース２の六角柱部分７を外筒２に嵌挿することにより、開かなくなるので脱塩素剤がこぼれ出る心配はない。
【００２２】
上記内側ケース２には、六角柱部分７の周壁である稜線に挟まれた６つの壁面に、水を流通させるメッシュ開口３が形成されている。これにより、脱塩素剤が収容された内側ケース２が外筒１に嵌挿された状態で活水対象とする水中に投入されたとき、外筒１の流通窓５や端部開口から外筒１内に流れ込んだ水は、外筒１の内面と六角柱部分７の壁面との間に形成された隙間を通り、壁面のメッシュ開口３から内側ケース２内に流れ込み、脱塩素剤と接触する。
【００２３】
また、上記内側ケース２の内部空間は、仕切り壁１０により複数（この例では３つ）の収容空間４に仕切られ、上記メッシュ開口３が各収容空間４のそれぞれに対応して設けられている。これにより。各収容空間４に収容した脱塩素剤等にメッシュ開口３を通過した水が接触する。また、脱塩素剤だけでなく、水を活性化させるセラミックス粒や活性炭等の浄水剤や活性剤を収容して使用することができる。
【００２４】
なお、この例では、内側ケース２の内部空間を３つの収容空間４に仕切った例を示したが、これに限定するものではなく、２つの収容空間４に仕切ってもよいし、４つ以上の収容空間４に仕切るようにしてもよい。好ましいのは、内側ケース２の内部を等分に４つの収容空間４に仕切り、内２つには脱塩素剤を収容し、１つに活性炭を収容し、１つに活水性すなわち遠赤外線を放射するセラミックスを収容するのが好ましい。
【００２５】
上記内側ケース２内に収容する脱塩素剤としては、例えば、亜硫酸カルシウムを使用することができる。一般の上水道には、塩素系の消毒・殺菌剤が混入されているが、これは菌に対して有効であっても、飲料水の味を悪化させている主源でもある。上記亜硫酸カルシウムは、水道水に含まれている残留塩素と反応して無害な塩化物イオンと硫酸イオンとを生成し、有害といわれている残留塩素を削減し、飲料水の味の悪化が改善され、味がまろやかになる。また、残留塩素はトリハロメタンを発生させると言われており、上記のような浄化剤によって残留塩素を取り除くことができれば、トリハロメタンの発生を抑制することもできる。
【００２６】
さらに、活性炭は、活性炭に本質的に備えられている細孔に、残留塩素および水中に混入されているカビ臭、アンモニアなどの臭い成分や濁り成分、鉄錆び等を吸着する。また、セラミックスは、遠赤外線の作用により活水作用を奏する。セラミックスには銀、銅、亜鉛などの抗菌金属の粉末を混ぜて抗菌作用を奏するようにすることもできる。
【００２７】
なお、上記脱塩素剤、活性炭、セラミックスは、メッシュ開口３の隙間から零れ落ちないように粒状のものを使用する。また、外筒１および内側ケース２の大きさは、特に限定するものではないが、本実施形態では、長さ約１００〜１５０ｍｍ、外径約１０〜１５ｍｍ程度に設定した。
【００２８】
そして、上記簡易活水器は、脱塩素剤が収容された内側ケース１が外筒１に嵌挿された状態で、活水対象とする水中に投入されるように構成されている。例えば、上記簡易活水器を水が充填されたペットボトルに投入しておくことによりペットボトル内の水を浄水および活水したり、コップに満たした水をマドラーで混ぜるようにして浄水および活水したりすることができる。
【００２９】
以上のように、本実施形態の簡易活水器は、上記外筒１の少なくとも表層部が遠赤外線を放射するセラミックスにより形成され、脱塩素剤が収容された内側ケースが外筒に嵌挿された状態で活水対象とする水中に投入されるため、脱塩素剤による浄水作用だけでなく、遠赤外線を放射するセラミックスによる活水作用により、有効な浄水ならびに活水効果を得ることができる。上記セラミックスは、水に対して遠赤外線を直に放射し、水分子を有効に振動させて水分子の水素結合集団（クラスタ）を細分化させることが可能となる。また、表層部がセラミックスにより形成されているため、引っかき強度等に優れ損傷しにくいうえ酸やアルカリにも侵されにくく、長期間使用に対する耐久性に優れる。さらに、上記内側ケース２の内部に粒状の脱塩素剤が収容され、周壁に水を流通させるメッシュ開口３が形成されていることから、脱塩素剤が水と有効に接触して水の残留塩素を効果的に除去する。しかも、内側ケース２が分割可能に形成されていることから、脱塩素剤の脱塩素効果が低下してきたときには、内部の脱塩素剤を新しいものに交換して新品同様に繰り返し使用することが可能となる。
【００３０】
また、上記内側ケース２は、長手方向に沿って分割可能に形成されるとともに、内部空間は複数の収容空間４に仕切られ、上記メッシュ開口３が複数の収容空間４のそれぞれに対応して設けられているため、複数の収容空間４に、水を活性化させるセラミックス粒や活性炭等、脱塩素剤以外の浄水剤や活性剤を収容して使用することができ、さらに有効な浄水作用および活水作用を得ることができる。
【００３１】
さらに、上記内側ケース２は、稜線が外筒の内面に内接する六角柱部分７と、六角柱部分７の端部に形成されたフランジ部８とから形成され、六角柱部分７の稜線に挟まれた壁面にメッシュ開口３が形成されているため、脱塩素剤が収容された内側ケース２が外筒１に嵌挿された状態で活水対象とする水中に投入されたとき、外筒１の流通窓５や端部開口から外筒１内に流れ込んだ水は、外筒の内面と六角柱部分７の壁面との間に形成された隙間を通り、壁面のメッシュ開口３から内側ケース２内に流れ込み、脱塩素剤と接触する。また、外筒１の内面と六角柱部分７の壁面との隙間を流れるときにセラミックスの作用を受けて活水される。このように、脱塩素剤やセラミックスと水との接触を効果的に行って浄水および活水を効率よく行うことができる。
【実施例】
【００３２】
図１および図２に示す活水器（直径１８．５ｍｍ×長さ１０２ｍｍ）に、脱塩素剤として粒状の亜硫酸カルシウムを８．５ｇ、活性炭を４ｇ、抗菌性セラミックスを１７ｇ収容した。原水として水道水を使用し、活水前の酸化還元電位を測定したところ、５４７ｍＶであった。これに上記活水器を浸漬して３分後に酸化還元電位を測定したところ、２０３ｍＶまで降下していた。同様に活水前後の溶存酸素量を測定したところ、活水処理前は２．０７ｍｇ／Ｌであったが、活水処理後は２．８５ｍｇ／Ｌに上昇した。
【図面の簡単な説明】
【００３３】
【図１】本考案の一実施形態の簡易活水器を示す分解斜視図である。
【図２】（Ａ）は外筒を示す断面図、（Ｂ）は内側ケースを示す側面図、（Ｃ）は内側ケースを示す断面図である。
【符号の説明】
【００３４】
１      外筒
２      内側ケース
３      メッシュ開口
４      収容空間
５      流通窓
６      係止溝
７      六角柱部分
８      フランジ部
９      係止突部
１０      仕切り壁
【図１】
0003124269.tif 000003
【図２】
0003124269.tif 000004